(57)【要約】【課題】所望の情報を容易に見ることができる表示制御システム等を提供する。【解決手段】　サーバコンピュータ４の表示制御手段１０は、パーソナルコンピュータ６の表示手段２２の第２表示領域２６に表示された第２情報群を構成する情報に表示手段２２のカーソルが合わせられると当該情報が選択されたものとして当該情報選択命令にしたがって、第２情報群を構成する複数項目の情報から１項目の情報を選択し、関連付けテーブル１８に基づいて、第２情報群の中の選択された１項目の情報に関連する第１情報群を構成する１項目以上の情報を選択し、第１表示領域２４に表示された情報のうち当該選択された情報に選択マークを付して表示するよう制御する。【選択図】図１
2004110851.tif 000002
【特許請求の範囲】
【請求項１】
　情報選択命令を入力する入力手段と、
　情報を表示する表示手段と、
　入力手段から入力された情報選択命令に基づいて表示手段に情報を表示するよう制御する表示制御手段と、
　第１情報群を構成する複数項目の情報を記憶する記憶手段と、
　を備えた表示制御システムであって、
　前記表示制御手段は、第１情報群を構成する複数項目の情報を記憶手段から読み出して表示手段の第１表示領域に同時に表示するとともに、入力手段から入力された情報選択命令に基づいて第１情報群を構成する複数項目の情報から１項目以上の情報を選択し、第１表示領域に表示された前記情報のうち当該選択された情報に選択マークを付して表示するよう制御すること、
　を特徴とする表示制御システム。
【発明の詳細な説明】
【技術分野】
【０００１】
　この発明は表示制御システム、表示制御装置および表示制御方法等に関し、特に、入力された情報選択命令に基づいて表示装置に情報を表示するよう制御する技術に関する。
【背景技術】
【０００２】
　インターネットを介して提供されるウェブページを用いて多種多様な情報を提供することができる。図１４に従来のウェブページの一部分を示す。図１４は、自動車の情報に関するウェブページの例である。
【０００３】
　従来のウェブページにおいては、ユーザーのコンピュータ（図示せず）の表示画面に情報の見出しの一覧９２を表示しておき、表示されたいずれかの見出しをユーザーがクリックすると、その見出しについての詳しい説明（図示せず）を表示するようにしていた。ユーザーは一覧９２の中から適当な見出しを見つけ、該見出しをクリックすることで、より詳しい情報を得ることができる。
【０００４】
　しかしながら、従来のこのようなウェブページには次のような問題点があった。図１４において、たとえばユーザーが自分の車を売りたい場合、どの見出しをクリックすれば良いのかが分からないことがある。特に、自動車についてあまり詳しくないユーザーの場合、見出しが多数あると、どの見出しが適切であるかの判断が困難になる。
【発明の開示】
【発明が解決しようとする課題】
【０００５】
　この発明は、このような従来のウェブページ等の問題点を解決し、所望の情報を容易に見ることができる表示制御システム等を提供することを目的とする。
【課題を解決するための手段】
【０００６】
　この発明による表示制御システムは、情報選択命令を入力する入力手段と、情報を表示する表示手段と、入力手段から入力された情報選択命令に基づいて表示手段に情報を表示するよう制御する表示制御手段と、第１情報群を構成する複数項目の情報を記憶する記憶手段と、を備えた表示制御システムであって、前記表示制御手段は、第１情報群を構成する複数項目の情報を記憶手段から読み出して表示手段の第１表示領域に同時に表示するとともに、入力手段から入力された情報選択命令に基づいて第１情報群を構成する複数項目の情報から１項目以上の情報を選択し、第１表示領域に表示された前記情報のうち当該選択された情報に選択マークを付して表示するよう制御すること、を特徴とする。
【発明の効果】
【０００７】
　請求項１の表示制御システムにおいては、第１情報群を構成する複数項目の情報を記憶しておき、記憶しておいた第１情報群を構成する複数項目の情報を読み出して表示装置の第１表示領域に同時に表示するとともに、入力された情報選択命令に基づいて第１情報群を構成する複数項目の情報から１項目以上の情報を選択し、第１表示領域に表示された前記情報のうち当該選択された情報に選択マークを付して表示するよう制御することを特徴とする。
【０００８】
　つまり、第１表示領域に同時に表示された複数の情報のうち、入力された選択命令に基づいて選択された情報にのみ選択マークが付される。したがって、情報を見ようとする者は、選択命令を入力するだけで、多数の情報の中から選択命令に関連している情報を容易に見つけだすことができる。すなわち、選択命令に関連した所望の情報を、容易に見ることができる。
【発明を実施するための最良の形態】
【０００９】
　図１は、この発明の一実施形態による表示制御システム２の構成を説明するためのブロック図である。表示制御システム２は、サーバコンピュータ（表示制御装置）４と、通信網であるインターネット８を介してサーバコンピュータ４と通信可能な端末コンピュータであるパーソナルコンピュータ６とを備えている。
【００１０】
　サーバコンピュータ４は、表示制御手段１０および記憶手段１２を備えている。記憶手段１２には、データファイル１４，テーマファイル１６，関連付けテーブル１８が設けられている。
【００１１】
　パーソナルコンピュータ６は、入力手段２０，表示手段（表示装置）２２を備えている。表示手段２２には、第１表示領域２４および第２表示領域２６が設けられている。図１における表示制御システム２には、複数のパーソナルコンピュータ６が接続できるよう構成されている。
【００１２】
　パーソナルコンピュータ６の入力手段２０を用いて情報選択命令が入力される。パーソナルコンピュータ６の表示手段２２には情報が表示される。
【００１３】
　サーバコンピュータ４の記憶手段１２を構成するデータファイル１４（第１ファイル）は、第１情報群を構成する情報であるデータまたは当該データに関連するデータを複数の情報分野に区分し得る状態で記憶している（図５参照）。
【００１４】
　テーマファイル１６（第２ファイル）には第２情報群を構成する複数項目の情報であるテーマが記憶される（図６参照）。
【００１５】
　関連付けテーブル１８には、第１情報群を構成する複数項目のデータと第２情報群を構成する複数項目のテーマとの対応関係が記憶される。また、関連付けテーブルには、第１情報群を構成する各データの前記第１表示領域における表示優先度が第２情報群を構成する各テーマごとに記憶される（図７参照）。
【００１６】
　サーバコンピュータ４の表示制御手段１０は、パーソナルコンピュータ６の入力手段２０から入力されインターネット８を介して伝達された情報選択命令に基づいて、インターネット８を介して、パーソナルコンピュータ６の表示手段２２に情報を表示するよう制御する。
【００１７】
　さらに詳しく説明すれば、表示制御手段１０は、第１情報群を構成する複数項目のデータを記憶手段１２のデータファイル１４から読み出して、インターネット８を介して、パーソナルコンピュータ６の表示手段２２の第１表示領域２４に同時に表示する。
【００１８】
　この際、表示制御手段１０は、表示手段２２の第１表示領域２４を、複数の情報分野に対応した複数の領域３２，３４，３６（図８参照）に分割するとともに、分割された各領域に、対応する情報分野のデータまたは当該データに関連するデータをそれぞれ表示するよう制御する。
【００１９】
　また、表示制御手段１０は、さらに、第２情報群を構成する複数項目のテーマを記憶手段１２のテーマファイル１６から読み出して、パーソナルコンピュータ６の表示手段２２の第２表示領域２６に同時に表示する（図８参照）。
【００２０】
　表示制御手段１０は、パーソナルコンピュータ６の表示手段２２の第２表示領域２６に表示された第２情報群を構成するテーマに表示手段２２のカーソルが合わせられると当該テーマが選択されたものとして当該情報選択命令にしたがって、第２情報群を構成する複数項目のテーマから１項目のテーマを選択し、関連付けテーブル１８に基づいて、第２情報群の中の選択された１項目のテーマに関連する第１情報群を構成する１項目以上のデータを選択し、第１表示領域に表示されたデータのうち当該選択されたデータに選択マークを付して表示するよう制御する（図９参照）。
【００２１】
　この実施形態においては、第２情報群の中の別のテーマにカーソルが合わせられるまでは以前に表示された選択マークの表示を維持するよう構成されている。
【００２２】
　さらに、表示制御手段１０は、パーソナルコンピュータ６の表示手段２２の第２表示領域に表示された第２情報群を構成するテーマがクリックされると当該テーマが選択されたものとして当該情報選択命令にしたがって第２情報群を構成する複数項目のテーマから１項目のテーマを選択し、関連付けテーブル１８に基づいて、第２情報群の中の選択された１項目のテーマに関連する第１情報群を構成する１項目以上のデータを選択し、選択された１項目以上のデータを表示手段２２の第１表示領域２４に表示するよう制御する（図１１参照）。
【００２３】
　この際、表示制御手段１０は、関連付けテーブル１８に基づいて、第２情報群の中の選択された１項目のテーマに対応する第１情報群を構成する１項目以上のデータの表示優先度を決定する。この実施形態においては、テーマ関連度のより高いデータを、第１表示領域２４のより上方に表示するようにしている。
【００２４】
　選択された上記１項目以上のデータを表示手段２２の第１表示領域２４に表示する際、この実施形態においては、第１表示領域２４のエリアが第２表示領域２６であったエリアにまで拡張され、第２表示領域２６のエリアは一時的に消滅する（図１１参照）。
【００２５】
　表示制御手段１０は、複数に分割された第１表示領域２４に選択可能な状態でデータ表示するとともに、第１表示領域２４に表示された第１情報群を構成するデータを選択（クリック）すると当該選択されたデータに関連するデータを表示するよう制御する（図１２参照）。
【００２６】
　この際、表示制御手段１０は、第１表示領域２４に表示されたデータが選択（クリック）された場合は当該選択されたデータを含む分割領域（図１２の例では、分割領域３４）の表示面積が他の分割領域（図１２の例では、分割領域３２，３６）の表示面積に比し大きくなるよう制御する。
【００２７】
　図２は、図１に示す表示制御システム２に用いられるサーバコンピュータ４，パーソナルコンピュータ６のハードウェア構成の一例を示す図面である。
【００２８】
　サーバコンピュータ４は、記憶手段であり本システムのプログラムを記録した記録媒体であるハードディスク５０、ハードディスク５０に記録されたプログラムを実行する表示制御手段であるＣＰＵ４２，ＣＲＴ４４，キーボード４６およびマウス４８，インターネット８を介してパーソナルコンピュータ６と通信するための通信インタフェース５２を備えている。
【００２９】
　また、サーバコンピュータ４のハードディスク５０には、上記プログラムの他、データファイル１４，テーマファイル１６および関連付けテーブルが記憶されている。
【００３０】
　図２のパーソナルコンピュータ６は、表示手段（表示装置）であるＣＲＴ６４、入力手段であるキーボード６６およびマウス６８、インターネット８を介して通信される情報の閲覧プログラム等を記録した記録媒体であるハードディスク７０、ハードディスク７０に記録されたプログラム等を実行するＣＰＵ６２，インターネット８を介してサーバコンピュータ４と通信するための通信インタフェース７２を備えている。
【００３１】
　図３は、本表示制御システム２において、パーソナルコンピュータ６のＣＲＴ６４の第１表示領域２４に選択マーク表示する処理（選択マーク表示処理）の流れの一例を示すフローチャートである。
【００３２】
　図５は、データファイル１４のデータ構造の一例を示す図面である。データファイル１４には、パーソナルコンピュータ６の第１表示領域２４に表示すべきデータ（見出しや、より詳細な説明等）が、たとえばＨＴＭＬファイルの形で記憶されている。それぞれのデータには、データＩＤ（Ｄ１、…）が付されるとともに、そのデータの属する情報分野（Ｆ１、…）が記載されている。
【００３３】
　図６は、テーマファイル１６のデータ構造の一例を示す図面である。テーマファイル１６には、パーソナルコンピュータ６の第２表示領域２６に表示すべきテーマが、たとえばＨＴＭＬファイルの形で記憶されている。それぞれのテーマには、テーマＩＤ（Ｔ１、…）が付されている。
【００３４】
　図７は、関連付けテーブル１８のデータ構造の一例を示す図面である。関連付けテーブル１８には、パーソナルコンピュータ６の第１表示領域２４に表示すべきデータと第２表示領域２６に表示すべきテーマとの関連性が記述されている。すなわち、データＩＤとテーマＩＤとが対応づけて記載されている。
【００３５】
　さらに、該対応づけて記載されたデータＩＤとテーマＩＤとのテーマ関連度が記載されている。この実施形態においては、データとテーマの関連性が高いほど大きい数値を与えるようにしている。
【００３６】
　図８〜図１０は、選択マーク表示処理におけるパーソナルコンピュータ６のＣＲＴ６４の表示画面の一例を示す図面である。
【００３７】
　図２〜図３および図５〜図１０を用いて、選択マーク表示処理について説明する。まず、サーバコンピュータ４のＣＰＵ４２は、ハードディスク５０に記憶されている図６に示すテーマファイル１６から情報の１形態であるテーマ（図８の例では６つのテーマ）を読み出す。
【００３８】
　同様に、ＣＰＵ４２は、ハードディスク５０に記憶されている図５に示すデータファイル１４から情報の他の形態であるデータ（図８の例では多数の見出しを表すデータ）を読み出す。
【００３９】
　つぎに、ＣＰＵ４２は、読み出したテーマおよび見出しを表すデータ（以後、単に「見出し」ということがある）を、インターネット８を介して、それぞれパーソナルコンピュータ６のＣＲＴ６４の第２表示領域２６および第１表示領域２４に表示するよう制御する（図３，ステップＳ１）。
【００４０】
　図８に示すように、第２表示領域２６には、自動車に関わる６つのテーマ「愛車を売りたい」、「中古車を買いたい」、…、「保険・ローン・リース」が上から順に表示される。
【００４１】
　一方、第１表示領域２４は、横方向に並んだ３つの分割領域３２，３４，３６に区分されている。第１分割領域３２には、車に関するアドバイス情報分野（たとえば、図５に示す情報分野Ｆ１に対応）に属する見出し「愛車を高く売る」等が表示される。
【００４２】
　第２分割領域３４には、車に関する世間の評判等の情報分野（たとえば、図５に示す情報分野Ｆ２に対応）に属する見出し「業界ニュース」等が表示される。第３分割領域３６には、車に関する種々のデータ情報分野（たとえば、図５に示す情報分野Ｆ３に対応）に属する見出し「新車情報」等が表示される。
【００４３】
　つぎに、サーバコンピュータ４のＣＰＵ４２は、インターネット８を介して、パーソナルコンピュータ６のＣＲＴ６４の第２表示領域２６に表示されたテーマのいずれかにカーソル（図示せず）が合わせられたか否かを監視している（図３，ステップＳ２）。
【００４４】
　パーソナルコンピュータ６のユーザーが、カーソルをいずれかのテーマ、たとえば「愛車を売りたい（テーマＩＤ「Ｔ１」）」に合わせると、この情報はインターネット８を介して、サーバコンピュータ４に伝えられる。
【００４５】
　サーバコンピュータ４のＣＰＵ４２は、伝えられた該情報に基づいて、図７に示す関連付けテーブル１８を検索し、テーマ「Ｔ１」が与えられている見出し「Ｄ１」、「Ｄ２」、「Ｄ４」、…を選択する（図３，ステップＳ３）。
【００４６】
　サーバコンピュータ４のＣＰＵ４２は、このようにして選択された見出し「Ｄ１」、「Ｄ２」、「Ｄ４」、…について、図９に示すように、選択マーク３８（図９の例では、自動車のイラスト）を付して表示する（図３，ステップＳ４）。
【００４７】
　図９に示すように、選択マーク３８は、見出し（たとえば分割領域３２に表示された「新車を高く売る」）の近傍に設けられた選択マーク表示用の領域に表示される。
【００４８】
　サーバコンピュータ４のＣＰＵ４２は、インターネット８を介して、パーソナルコンピュータ６のＣＲＴ６４の第２表示領域２６に表示された別のテーマにカーソルが合わせられたか否かを監視している（図３，ステップＳ５）。ＣＰＵ４２は、別のテーマにカーソルが合わせられない限り、現在の選択マーク３８の表示状態を維持するよう制御する。
【００４９】
　パーソナルコンピュータ６のユーザーが、カーソルを別のテーマ、たとえば「中古車を買いたい（テーマ「Ｔ２」）」に合わせると、この情報はインターネット８を介して、サーバコンピュータ４に伝えられる。
【００５０】
　サーバコンピュータ４のＣＰＵ４２は、伝えられた該情報に基づいて、図３のステップＳ３に制御を移す。すなわち、図７に示す関連付けテーブル１８を検索し、テーマ「Ｔ２」が与えられている見出し「Ｄ３」、…を選択し（図３，ステップＳ３）、選択された見出し「Ｄ３」、…について、図１０に示すように、選択マーク３８を付して表示する（図３，ステップＳ４）。
【００５１】
　このようにして、カーソルが別のテーマに合わせられごとに、当該テーマに対応した見出しに選択マーク３８が付されて表示される。
【００５２】
　つぎに、本表示制御システム２における他の処理について説明する。図４は、本表示制御システム２において、パーソナルコンピュータ６のＣＲＴ６４の第１表示領域２４にデータを編集して表示する処理（自動編集処理）の流れの一例を示すフローチャートである。
【００５３】
　図１１〜図１３は、自動編集処理におけるパーソナルコンピュータ６のＣＲＴ６４の表示画面の一例を示す図面である。
【００５４】
　図２、図４〜図７および図１１〜図１３を用いて、自動編集処理について説明する。図４のステップＳ１１は、図３のステップＳ１と同様の処理である。すなわち、ステップＳ１１により、パーソナルコンピュータ６のＣＲＴ６４は、図８に示すような表示状態となる。
【００５５】
　この状態で、サーバコンピュータ４のＣＰＵ４２は、インターネット８を介して、パーソナルコンピュータ６のＣＲＴ６４の第２表示領域２６に表示されたテーマのいずれかがクリックされたか否かを監視している（図４，ステップＳ１２）。
【００５６】
　パーソナルコンピュータ６のユーザーが、いずれかのテーマ、たとえば「愛車を売りたい（テーマ「Ｔ１」）」をクリックすると、この情報はインターネット８を介して、サーバコンピュータ４に伝えられる。
【００５７】
　サーバコンピュータ４のＣＰＵ４２は、伝えられた該情報に基づいて、自動編集を行う（図４，ステップＳ１３）。自動編集は次のようにして行われる。
【００５８】
　まず、サーバコンピュータ４のＣＰＵ４２は、伝えられた該情報に基づいて、図７に示す関連付けテーブル１８を検索し、テーマ「Ｔ１」が与えられている見出し「Ｄ１」、「Ｄ２」、「Ｄ４」、…を選択する。
【００５９】
　つぎに、サーバコンピュータ４のＣＰＵ４２は、このようにして選択された見出し「Ｄ１」、「Ｄ２」、「Ｄ４」、…の、各分割領域３２，３４，３６における表示優先度を決定する。表示優先度は、図７に示す関連付けテーブル１８のテーマ関連度を比較して決定される。
【００６０】
　この例では、図５のデータファイル１４から分かるように、たとえば見出し「Ｄ２」および「Ｄ４」は同じ情報分野「Ｆ２」に属する。また、図７の関連づけテーブル１８から分かるように、テーマ「Ｔ１」についての見出し「Ｄ２」、「Ｄ４」のテーマ関連度は、それぞれ、「４０」，「６０」である。
【００６１】
　したがって、情報分野「Ｆ２」に対応する第２分割領域３４においては、見出し「Ｄ２」より見出し「Ｄ４」の方が表示優先度が高い。すなわち、第２分割領域３４においては、見出し「Ｄ２」より見出し「Ｄ４」の方が上方に表示されることになる。
【００６２】
　つぎに、ＣＰＵ４２は、各分割領域３２，３４，３６の表示エリアの大きさを決定する。この実施形態においては、第２表示領域２６に表示されたテーマのいずれかがクリックされた場合には、第１表示領域２４を構成する第１分割領域３２のエリアを，第２分割領域３４のエリアおよび第３分割領域３６のエリアよりも大きくなるようにしている。
【００６３】
　また、この実施形態においては、第２表示領域２６に表示されたテーマのいずれかがクリックされた場合には、第１表示領域２４を構成する第１分割領域３２に属する見出しに関するより詳しいデータ（詳細データ、すなわち選択された情報に関連する情報）を表示するようにしている。
【００６４】
　つぎに、ＣＰＵ４２は、このようにして自動編集された結果を、インターネット８を介して、パーソナルコンピュータ６のＣＲＴ６４に表示する（図４，ステップＳ１４）。図１１は、このようにして自動編集された結果をＣＲＴ６４に表示した場合の一例を示す図面である。
【００６５】
　図１１に示すように、このとき、パーソナルコンピュータ６のＣＲＴ６４には、第１表示領域２４をできるだけ大きく表示するために、第２表示領域２６のエリアが設けられていない。
【００６６】
　つぎに、サーバコンピュータ４のＣＰＵ４２は、インターネット８を介して、パーソナルコンピュータ６のＣＲＴ６４の第１表示領域２４に表示された見出しがクリックされたか否かを監視している（図４，ステップＳ１５）。
【００６７】
　パーソナルコンピュータ６のユーザーが、見出し、たとえば、第１表示領域２４を構成する第２分割領域３４に表示されている「個人売買」をクリックすると、この情報はインターネット８を介して、サーバコンピュータ４に伝えられる。
【００６８】
　サーバコンピュータ４のＣＰＵ４２は、伝えられた該情報に基づいて、図１２に示すように、「個人売買」に関する詳細データを第２分割領域３４に表示する（図４，ステップＳ１６）。
【００６９】
　この際、第２分割領域３４のエリアを，第１分割領域３２のエリアおよび第３分割領域３６のエリアよりも大きくなるようにしている。このようにすることで、見出し「個人売買」に関するより詳しいデータを表示するためのエリアを確保することができ、好都合である。
【００７０】
　つぎに、サーバコンピュータ４のＣＰＵ４２は、再び、制御を図４のステップＳ１５に移し、インターネット８を介して、パーソナルコンピュータ６のＣＲＴ６４の第１表示領域２４に表示された見出しがクリックされたか否かを監視する。
【００７１】
　たとえば、この状態、すなわち図１２に示す状態から、パーソナルコンピュータ６のユーザーが、第１表示領域２４を構成する第３分割領域３６に表示されている「クルマ買取り情報」をクリックすると、パーソナルコンピュータ６のＣＲＴ６４は、図１３に示す状態となる。
【００７２】
　なお、この実施形態においては、自動編集処理について、ステップＳ１１の状態、すなわち、図８に示す表示状態からテーマがクリックされた場合を例に説明したが、この発明にかかる自動編集処理はこのような場合に限定されるものではない。
【００７３】
　たとえば、図９に示す表示状態からテーマや見出しがクリックされた場合にも、この発明にかかる自動編集処理を適用することができる。図９に示す表示状態から、たとえば、第２表示領域２６に表示された「愛車を売りたい（テーマ「Ｔ１」）」がクリックされると、図４のステップＳ１３以後の処理が実行され、パーソナルコンピュータ６のＣＲＴ６４には、図１１に示す画面が表示される。
【００７４】
　また、たとえば、図９に示す表示状態から、たとえば、第１表示領域２４を構成する第２分割領域３４に表示されている見出し「個人売買」がクリックされると、図４のステップＳ１６以後の処理が実行され、パーソナルコンピュータ６のＣＲＴ６４には、図１２に示す画面が表示される。
【００７５】
　また、この実施形態においては、表示画面は任意の階層構造を取りうるよう設定されている。たとえば、図１１の表示状態において、第１分割領域３２内に表示されている詳細データの一部（たとえば、「（１）知って得する愛車の買い取り相場」をクリックすると、第１分割領域３２内には、「（１）知って得する愛車の買い取り相場」に関するさらに詳しい説明（選択された情報に関連する情報）が表示される（図示せず）。
【００７６】
　上述のように、この実施形態においては、第１表示領域２４に同時に表示された複数のデータのうち、入力された選択命令に基づいて選択されたデータにのみ選択マーク３８が付されるようにしている。したがって、データを見ようとする者は、選択命令を入力するだけで、多数のデータの中から選択命令に関連しているデータを容易に見つけだすことができる。すなわち、選択命令に関連した所望のデータを、容易に見ることができる。
【００７７】
　また、この実施形態においては、複数のデータのうち、入力された選択命令に基づいて選択されたデータのみが第１表示領域に所定の表示優先度にしたがって表示するようにしている。したがって、データを見ようとする者は、選択命令を入力するだけで、多数のデータの中から選択命令に関連しているデータのみを容易に見ることができる。すなわち、選択命令に関連した所望のデータを、容易に見ることができる。
【００７８】
　なお、上述の実施形態においては、自動車の情報を表示する場合を例に説明したが、本発明は自動車の情報を表示する場合に限定されるものではない。本発明は、情報一般を表示する場合に適用される。
【００７９】
　また、上述の実施形態においては、あるテーマに対応するデータを選択する際、たとえば図７に示すテーブルの形で当該対応関係を予め与えておくようにしているが、テーマとデータとの対応関係を決定する方法はこれに限定されるものではない。
【００８０】
　たとえば、データおよび／またはテーマを種々の方法で文章解析し、当該解析結果に基づいて、テーマとデータとの対応関係を算出し、算出された対応関係にしたがって、あるテーマに対応するデータを選択するようにしてもよい。
【００８１】
　上述の実施形態においては、選択マークとして自動車のイラストを用いた場合を例に説明したが、選択マークは、もちろんこれに限定されるものではない。また、選択マークを、データの近傍に設けられた選択マーク表示用の領域に表示する場合を例に説明したが、選択マークの表示位置は、これに限定されるものではない。
【００８２】
　さらに、選択マークとデータとを別に設けた場合を例に説明したが、たとえば、表示されたデータ自体の色を変えたり、字体を変えたり、太字で表示したりすることで、データに選択マークを付するようにしてもよい。
【００８３】
　また、上述の実施形態においては、表示優先度にしたがって、表示画面の上から下へと順に並べるようにデータを表示したが、この発明はこれに限定されるものではない。たとえば、表示優先度にしたがって、表示画面の左から右へと順に並べるようにデータを表示するようにしてもよい。
【００８４】
　また、表示優先度にしたがって、時間間隔をおいて表示画面に順にデータを表示するようにしてもよい。たとえば、まず、表示優先度の最も高いデータを表示画面に表示し、次に、２番目の表示優先度を持つデータを表示し、表示優先度の最も低いデータを最後に表示するよう構成することもできる。
【００８５】
　また、上述の実施形態においては、データの表示優先度を決定するために、たとえば図７に示す「テーマ関連度」をテーブルの形で予め与えておくようにしているが、表示優先度を決定する方法はこれに限定されるものではない。
【００８６】
　たとえば、表示すべきデータおよび／またはテーマを種々の方法で文章解析し、当該解析結果に基づいて、テーマとデータとの関連度（テーマ関連度）を算出し、算出されたテーマ関連度にしたがって表示優先度を決定するようにしてもよい。
【００８７】
　さらに、表示優先度を決定するに際し、テーマとデータとの関連度に配慮することなく、たとえば、５０音順にデータを表示させたり、データの入力順に表示させたりすることもできる。
【００８８】
　また、上述の実施形態においては、表示された情報（テーマ、データ）にカーソルを合わせたり、表示された情報をクリックしたりすることにより、情報選択命令を入力する場合を例に説明したが、情報選択命令の入力方法はこれに限定されるものではない。
【００８９】
　たとえば、キーボードを用いて情報選択命令を入力したり、音声により情報選択命令を入力したりするような場合にも、この発明を適用することができる。このような場合、必ずしも第２情報群を構成する情報を記憶しておいたり表示したりする必要はない。
【００９０】
　しかし、第２情報群を構成する情報を表示しておくことで、ユーザーは表示された該情報の中から選択すべき情報を選べるため、ユーザーの選択が容易になり好都合である。
【００９１】
　また、上述のブロック図、ハードウェア構成、フローチャート、データ構造、テーブル、表示画面等は例として挙げたものであり、本願発明は、上述のブロック図、ハードウェア構成、フローチャート、データ構造、テーブル、表示画面等に限定されるものではない。
【００９２】
　また、テーブルの数も特に限定されるものではない。また、テーブルを用いる処理においては、テーブルの代わりに、上述のようにアルゴリズムを用いて処理を行うようにしてもよい。
【００９３】
　なお、上述の実施形態においては、サーバコンピュータ４に本システムのプログラムおよびデータを記憶させておき、サーバコンピュータ４により、インターネット８を介してパーソナルコンピュータ６をコントロールするようにしたが、この発明はこれに限定されるものではない。
【００９４】
　たとえば、本システムのプログラムやデータの一部をパーソナルコンピュータ６に持たせるようにしてもよい。もちろん、サーバコンピュータとして複数のコンピュータを用いてもよい。サーバコンピュータとして複数のコンピュータを用いる場合には、それら複数のコンピュータを通信回線（たとえばインターネット）を介して接続するようにしてもよい。
【００９５】
　また、上述の実施形態においては、通信網としてインターネットを例に説明したが、通信網はインターネットに限定されるものではない。たとえば、ＬＡＮ（ローカルエリアネットワーク）を介してサーバコンピュータとパーソナルコンピュータ等の端末装置とを接続するようなネットワークにおいて本発明を実現するようにしてもよい。
【００９６】
　さらに、この発明は、通信網を介して２以上のコンピュータを接続する場合に限定されるものではない。たとえば、コンピュータをスタンドアローンで用いる場合にも、本発明を適用することができる。
【００９７】
　なお、この実施形態においては、ハードディスクにインストールされた本システムのプログラムを実行するようにしている。ただし、プログラムの保持形態はこれらに限定されるものではない。たとえば、本システムのプログラムを、ＣＤ−ＲＯＭ、フレキシブルディスク、磁気テープ等に記録するようにしてもよい。
【００９８】
　さらに、有線や無線の通信回線を介して本システムのプログラムを配信するようにしてもよい。また、本システムのプログラムをメインのサーバコンピュータにインストールしておき、たとえばインターネットなどの通信回線を介してローカルのサーバコンピュータに本システムのプログラムを実行させるようにしてもよい。
【００９９】
　また、プログラムやデータの記録態様は特に限定されるものではない。直接実行できる形で記録媒体に記録されている場合の他、たとえば、解凍して使用するように圧縮された形で記録媒体に記録されていてもよい。
【０１００】
　なお、上述の実施形態においては、コンピュータを用いて図１の各機能を実現する場合を例に説明したが、図１の機能の一部をハードウェアロジックを用いて構成するようにしてもよい。
【０１０１】
　この発明は、さらに、次の２ないし３６のいずれかとして把握することもできる。
【０１０２】
２．　情報選択命令を入力する入力手段と、
　情報を表示する表示手段と、
　入力手段から入力された情報選択命令に基づいて表示手段に情報を表示するよう制御する表示制御手段と、
　第１情報群を構成する複数項目の情報を記憶する記憶手段と、
　を備えた表示制御システムであって、
　前記表示制御手段は、入力手段から入力された情報選択命令に基づいて第１情報群を構成する複数項目の情報から１項目以上の情報を選択し、選択された１項目以上の情報を記憶手段から読み出して所定の表示優先度にしたがって表示手段の第１表示領域に表示するよう制御すること、
　を特徴とする表示制御システム。
【０１０３】
３．　入力手段から入力された情報選択命令に基づいて表示手段に情報を表示するよう制御する表示制御装置であって、
　第１情報群を構成する複数項目の情報を記憶する記憶手段と、
　第１情報群を構成する複数項目の情報を記憶手段から読み出して表示手段の第１表示領域に同時に表示するとともに、入力手段から入力された情報選択命令に基づいて第１情報群を構成する複数項目の情報から１項目以上の情報を選択し、第１表示領域に表示された前記情報のうち当該選択された情報に選択マークを付して表示するよう制御する表示制御手段と、
　をそなえたこと、
　を特徴とする表示制御装置。
【０１０４】
４．　上記３の表示制御装置において、
　前記記憶手段は、さらに、第２情報群を構成する複数項目の情報であって第１情報群を構成する複数項目の情報と所定の対応関係で対応付けられた情報を記憶し、
　前記表示制御手段は、さらに、第２情報群を構成する複数項目の情報を記憶手段から読み出して表示手段の第２表示領域に同時に表示するとともに、入力手段から入力された情報選択命令にしたがって第２情報群を構成する複数項目の情報から１項目の情報を選択し、選択された１項目の情報に基づいて第１情報群を構成する複数項目の情報から前記所定の対応関係で対応付けられた１項目以上の情報を選択し、第１表示領域に表示された前記情報のうち当該選択された情報に選択マークを付して表示するよう制御すること、
　を特徴とするもの。
【０１０５】
５．　上記４の表示制御装置において、
　前記表示制御手段は、表示手段の第２表示領域に表示された第２情報群を構成する情報に表示手段のカーソルが合わせられると当該情報が選択されたものとして第１表示領域に表示された情報のうちカーソルが合わせられた情報に対応する情報に選択マークを付して表示するとともに、第２情報群の中の別の情報にカーソルが合わせられるまでは以前に表示された選択マークの表示を維持するよう制御すること、
　を特徴とするもの。
【０１０６】
６．　入力手段から入力された情報選択命令に基づいて表示手段に情報を表示するよう制御する表示制御装置であって、
　第１情報群を構成する複数項目の情報を記憶する記憶手段と、
　入力手段から入力された情報選択命令に基づいて第１情報群を構成する複数項目の情報から１項目以上の情報を選択し、選択された１項目以上の情報を記憶手段から読み出して所定の表示優先度にしたがって表示手段の第１表示領域に表示するよう制御する表示制御手段と、
　を備えたこと、
　を特徴とする表示制御装置。
【０１０７】
７．　上記６の表示制御装置において、
　前記記憶手段は、さらに、第２情報群を構成する複数項目の情報であって第１情報群を構成する複数項目の情報と所定の対応関係で対応付けられた情報を記憶し、
　前記表示制御手段は、さらに、第２情報群を構成する複数項目の情報を記憶手段から読み出して表示手段の第２表示領域に同時に表示するとともに、入力手段から入力された情報選択命令にしたがって第２情報群を構成する複数項目の情報から１項目の情報を選択し、選択された１項目の情報に基づいて第１情報群を構成する複数項目の情報から前記所定の対応関係で対応付けられた１項目以上の情報を選択し、選択された１項目以上の情報を表示手段の第１表示領域に表示するよう制御すること、
　を特徴とするもの。
【０１０８】
８．　上記４の表示制御装置において、
　前記記憶手段は、第１情報群を構成する情報と第２情報群を構成する情報との対応関係を記憶したテーブルを備え、
　前記表示制御手段は、当該テーブルに基づいて、第２情報群の中の選択された１項目の情報に対応する第１情報群を構成する１項目以上の情報を選択すること、
　を特徴とするもの。
【０１０９】
９．　上記７の表示制御装置において、
　前記記憶手段は、第１情報群を構成する各情報の前記第１表示領域における表示優先度を第２情報群を構成する各情報ごとに記憶したテーブルを備え、
　前記表示制御手段は、当該テーブルに基づいて、第２情報群の中の選択された１項目の情報に対応する第１情報群を構成する１項目以上の情報の表示優先度を決定すること、
　を特徴とするもの。
【０１１０】
１０．　上記３の表示制御装置において、
　前記表示制御手段は、前記表示手段の第１表示領域に表示された第１情報群を構成する情報を選択すると当該選択された情報に関連する情報を表示するよう制御すること、
　を特徴とするもの。
【０１１１】
１１．　上記３の表示制御装置において、
　前記記憶手段は、第１情報群を構成する情報または当該情報に関連する情報を複数の情報分野に区分し得る状態で記憶しており、
　前記表示制御手段は、前記表示手段の第１表示領域を当該複数の情報分野に対応した複数の領域に分割するとともに、分割された各領域に、対応する情報分野の情報または当該情報に関連する情報をそれぞれ表示するよう制御すること、
　を特徴とするもの。
【０１１２】
１２．　上記１１の表示制御装置において、
　前記表示制御手段は、分割された前記第１表示領域に選択可能な状態で情報を表示するとともに、第１表示領域に表示された情報が選択された場合は当該選択された情報を含む前記分割領域の表示面積が他の分割領域の表示面積に比し大きくなるよう制御すること、
　を特徴とするもの。
【０１１３】
１３．　上記３の表示制御装置において、
　当該表示制御装置は、前記入力手段および表示手段を備えた端末コンピュータと通信網を介して接続可能なサーバコンピュータであること、
　を特徴とするもの。
【０１１４】
１４．　上記７の表示制御装置において、
　前記記憶手段は、第１情報群を構成する情報と第２情報群を構成する情報との対応関係を記憶したテーブルを備え、
　前記表示制御手段は、当該テーブルに基づいて、第２情報群の中の選択された１項目の情報に対応する第１情報群を構成する１項目以上の情報を選択すること、
　を特徴とするもの。
【０１１５】
１５．　上記６の表示制御装置において、
　前記表示制御手段は、前記表示手段の第１表示領域に表示された第１情報群を構成する情報を選択すると当該選択された情報に関連する情報を表示するよう制御すること、
　を特徴とするもの。
【０１１６】
１６．　上記６の表示制御装置において、
　前記記憶手段は、第１情報群を構成する情報または当該情報に関連する情報を複数の情報分野に区分し得る状態で記憶しており、
　前記表示制御手段は、前記表示手段の第１表示領域を当該複数の情報分野に対応した複数の領域に分割するとともに、分割された各領域に、対応する情報分野の情報または当該情報に関連する情報をそれぞれ表示するよう制御すること、
　を特徴とするもの。
【０１１７】
１７．　上記１６の表示制御装置において、
　前記表示制御手段は、分割された前記第１表示領域に選択可能な状態で情報を表示するとともに、第１表示領域に表示された情報が選択された場合は当該選択された情報を含む前記分割領域の表示面積が他の分割領域の表示面積に比し大きくなるよう制御すること、
　を特徴とするもの。
【０１１８】
１８．　上記６の表示制御装置において、
　当該表示制御装置は、前記入力手段および表示手段を備えた端末コンピュータと通信網を介して接続可能なサーバコンピュータであること、
　を特徴とするもの。
【０１１９】
１９．　情報選択命令を入力する入力手段と、情報を表示する表示手段と、第１情報群を構成する複数項目の情報を記憶する記憶手段とを備えたコンピュータシステムに、入力手段から入力された情報選択命令に基づいて表示手段に情報を表示するよう制御する処理を行わせるためのプログラムを記録した記録媒体において、
　第１情報群を構成する複数項目の情報を記憶手段から読み出して表示手段の第１表示領域に同時に表示するとともに、入力手段から入力された情報選択命令に基づいて第１情報群を構成する複数項目の情報から１項目以上の情報を選択し、第１表示領域に表示された前記情報のうち当該選択された情報に選択マークを付して表示するよう制御する処理をコンピュータシステムに行わせるためのプログラムを記録した記録媒体。
【０１２０】
２０．　上記１９のプログラムを記録した記録媒体において、
　前記記憶手段は、さらに、第２情報群を構成する複数項目の情報であって第１情報群を構成する複数項目の情報と所定の対応関係で対応付けられた情報を記憶しており、
　前記プログラムは、さらに、第２情報群を構成する複数項目の情報を記憶手段から読み出して表示手段の第２表示領域に同時に表示するとともに、入力手段から入力された情報選択命令にしたがって第２情報群を構成する複数項目の情報から１項目の情報を選択し、選択された１項目の情報に基づいて第１情報群を構成する複数項目の情報から前記所定の対応関係で対応付けられた１項目以上の情報を選択し、第１表示領域に表示された前記情報のうち当該選択された情報に選択マークを付して表示するよう制御すること、
　を特徴とするもの。
【０１２１】
２１．　上記２０のプログラムを記録した記録媒体において、
　前記プログラムは、表示手段の第２表示領域に表示された第２情報群を構成する情報に表示手段のカーソルが合わせられると当該情報が選択されたものとして第１表示領域に表示された情報のうちカーソルが合わせられた情報に対応する情報に選択マークを付して表示するとともに、第２情報群の中の別の情報にカーソルが合わせられるまでは以前に表示された選択マークの表示を維持するよう制御すること、
　を特徴とするもの。
【０１２２】
２２．　情報選択命令を入力する入力手段と、情報を表示する表示手段と、第１情報群を構成する複数項目の情報を記憶する記憶手段とを備えたコンピュータシステムに、入力手段から入力された情報選択命令に基づいて表示手段に情報を表示するよう制御する処理を行わせるためのプログラムを記録した記録媒体において、
　入力手段から入力された情報選択命令に基づいて第１情報群を構成する複数項目の情報から１項目以上の情報を選択し、選択された１項目以上の情報を記憶手段から読み出して所定の表示優先度にしたがって表示手段の第１表示領域に表示するよう制御する処理をコンピュータシステムに行わせるためのプログラムを記録した記録媒体。
【０１２３】
２３．　上記２２のプログラムを記録した記録媒体において、
　前記記憶手段は、さらに、第２情報群を構成する複数項目の情報であって第１情報群を構成する複数項目の情報と所定の対応関係で対応付けられた情報を記憶しており、
　前記プログラムは、さらに、第２情報群を構成する複数項目の情報を記憶手段から読み出して表示手段の第２表示領域に同時に表示するとともに、入力手段から入力された情報選択命令にしたがって第２情報群を構成する複数項目の情報から１項目の情報を選択し、選択された１項目の情報に基づいて第１情報群を構成する複数項目の情報から前記所定の対応関係で対応付けられた１項目以上の情報を選択し、選択された１項目以上の情報を表示手段の第１表示領域に表示するよう制御すること、
　を特徴とするもの。
【０１２４】
２４．　上記２０のプログラムを記録した記録媒体において、
　前記記憶手段は、第１情報群を構成する情報と第２情報群を構成する情報との対応関係を記憶したテーブルを備えており、
　前記プログラムは、当該テーブルに基づいて、第２情報群の中の選択された１項目の情報に対応する第１情報群を構成する１項目以上の情報を選択すること、
　を特徴とするもの。
【０１２５】
２５．　上記２３のプログラムを記録した記録媒体において、
　前記記憶手段は、第１情報群を構成する各情報の前記第１表示領域における表示優先度を第２情報群を構成する各情報ごとに記憶したテーブルを備えており、
　前記プログラムは、当該テーブルに基づいて、第２情報群の中の選択された１項目の情報に対応する第１情報群を構成する１項目以上の情報の表示優先度を決定すること、
　を特徴とするもの。
【０１２６】
２６．　上記１９のプログラムを記録した記録媒体において、
　前記プログラムは、前記表示手段の第１表示領域に表示された第１情報群を構成する情報を選択すると当該選択された情報に関連する情報を表示するよう制御すること、
　を特徴とするもの。
【０１２７】
２７．　上記１９のプログラムを記録した記録媒体において、
　前記記憶手段は、第１情報群を構成する情報または当該情報に関連する情報を複数の情報分野に区分し得る状態で記憶しており、
　前記プログラムは、前記表示手段の第１表示領域を当該複数の情報分野に対応した複数の領域に分割するとともに、分割された各領域に、対応する情報分野の情報または当該情報に関連する情報をそれぞれ表示するよう制御すること、
　を特徴とするもの。
【０１２８】
２８．　上記２７のプログラムを記録した記録媒体において、
　前記プログラムは、分割された前記第１表示領域に選択可能な状態で情報を表示するとともに、第１表示領域に表示された情報が選択された場合は当該選択された情報を含む前記分割領域の表示面積が他の分割領域の表示面積に比し大きくなるよう制御すること、
　を特徴とするもの。
【０１２９】
２９．　上記１９のプログラムを記録した記録媒体において、
　前記コンピュータシステムは、前記入力手段および表示手段を備えた端末コンピュータと、前記記憶手段を備え前記プログラムに基づいて前記端末コンピュータの表示手段に前記情報を表示するよう制御するサーバコンピュータとを、通信網を介して接続し得るよう構成したシステムであること、
　を特徴とするもの。
【０１３０】
３０．　上記２３のプログラムを記録した記録媒体において、
　前記記憶手段は、第１情報群を構成する情報と第２情報群を構成する情報との対応関係を記憶したテーブルを備えており、
　前記プログラムは、当該テーブルに基づいて、第２情報群の中の選択された１項目の情報に対応する第１情報群を構成する１項目以上の情報を選択すること、
　を特徴とするもの。
【０１３１】
３１．　上記２２のプログラムを記録した記録媒体において、
　前記プログラムは、前記表示手段の第１表示領域に表示された第１情報群を構成する情報を選択すると当該選択された情報に関連する情報を表示するよう制御すること、
　を特徴とするもの。
【０１３２】
３２．　上記２２のプログラムを記録した記録媒体において、
　前記記憶手段は、第１情報群を構成する情報または当該情報に関連する情報を複数の情報分野に区分し得る状態で記憶しており、
　前記プログラムは、前記表示手段の第１表示領域を当該複数の情報分野に対応した複数の領域に分割するとともに、分割された各領域に、対応する情報分野の情報または当該情報に関連する情報をそれぞれ表示するよう制御すること、
　を特徴とするもの。
【０１３３】
３３．　上記３２のプログラムを記録した記録媒体において、
　前記プログラムは、分割された前記第１表示領域に選択可能な状態で情報を表示するとともに、第１表示領域に表示された情報が選択された場合は当該選択された情報を含む前記分割領域の表示面積が他の分割領域の表示面積に比し大きくなるよう制御すること、
　を特徴とするもの。
【０１３４】
３４．　上記２２のプログラムを記録した記録媒体において、
　前記コンピュータシステムは、前記入力手段および表示手段を備えた端末コンピュータと、前記記憶手段を備え前記プログラムに基づいて前記端末コンピュータの表示手段に前記情報を表示するよう制御するサーバコンピュータとを、通信網を介して接続し得るよう構成したシステムであること、
　を特徴とするもの。
【０１３５】
３５．　入力された情報選択命令に基づいて表示装置に情報を表示するよう制御する表示制御方法であって、
　第１情報群を構成する複数項目の情報を記憶しておき、
　記憶しておいた第１情報群を構成する複数項目の情報を読み出して表示装置の第１表示領域に同時に表示するとともに、入力された情報選択命令に基づいて第１情報群を構成する複数項目の情報から１項目以上の情報を選択し、第１表示領域に表示された前記情報のうち当該選択された情報に選択マークを付して表示するよう制御すること、
　を特徴とする表示制御方法。
【０１３６】
３６．　入力された情報選択命令に基づいて表示装置に情報を表示するよう制御する表示制御方法であって、
　第１情報群を構成する複数項目の情報を記憶しておき、
　入力された情報選択命令に基づいて第１情報群を構成する複数項目の情報から１項目以上の情報を選択し、選択された１項目以上の情報を所定の表示優先度にしたがって表示装置の第１表示領域に表示するよう制御すること、
　を特徴とする表示制御方法。
【０１３７】
　この発明による表示制御システム、表示制御装置、プログラムを記録した記録媒体および表示制御方法においては、第１情報群を構成する複数項目の情報を記憶しておき、記憶しておいた第１情報群を構成する複数項目の情報を読み出して表示装置の第１表示領域に同時に表示するとともに、入力された情報選択命令に基づいて第１情報群を構成する複数項目の情報から１項目以上の情報を選択し、第１表示領域に表示された前記情報のうち当該選択された情報に選択マークを付して表示するよう制御することを特徴とする。
【０１３８】
　つまり、第１表示領域に同時に表示された複数の情報のうち、入力された選択命令に基づいて選択された情報にのみ選択マークが付される。したがって、情報を見ようとする者は、選択命令を入力するだけで、多数の情報の中から選択命令に関連している情報を容易に見つけだすことができる。すなわち、選択命令に関連した所望の情報を、容易に見ることができる。
【０１３９】
　この発明による表示制御システム、表示制御装置、プログラムを記録した記録媒体および表示制御方法においては、第１情報群を構成する複数項目の情報を記憶しておき、入力された情報選択命令に基づいて第１情報群を構成する複数項目の情報から１項目以上の情報を選択し、選択された１項目以上の情報を所定の表示優先度にしたがって表示装置の第１表示領域に表示するよう制御することを特徴とする。
【０１４０】
　つまり、複数の情報のうち、入力された選択命令に基づいて選択された情報のみが第１表示領域に所定の表示優先度にしたがって表示される。したがって、情報を見ようとする者は、選択命令を入力するだけで、多数の情報の中から選択命令に関連している情報のみを容易に見ることができる。すなわち、選択命令に関連した所望の情報を、容易に見ることができる。
【０１４１】
　この発明による表示制御装置およびプログラムを記録した記録媒体においては、記憶手段は、さらに、第２情報群を構成する複数項目の情報であって第１情報群を構成する複数項目の情報と所定の対応関係で対応付けられた情報を記憶している。また、第２情報群を構成する複数項目の情報を記憶手段から読み出して表示手段の第２表示領域に同時に表示するとともに、入力手段から入力された情報選択命令にしたがって第２情報群を構成する複数項目の情報から１項目の情報を選択し、選択された１項目の情報に基づいて第１情報群を構成する複数項目の情報から前記所定の対応関係で対応付けられた１項目以上の情報を選択し、第１表示領域に表示された前記情報のうち当該選択された情報に選択マークを付して表示するよう制御することを特徴とする。
【０１４２】
　つまり、第２表示領域には、第１情報群を構成する複数項目の情報と所定の対応関係で対応付けられた第２情報群の情報が表示される。したがって、情報を見ようとする者は、第２表示領域に表示された情報の中から１項目の情報を選んで情報選択命令を入力するだけで、第１情報群を構成する多数の情報の中から当該選ばれた１項目の情報に関連している情報を容易に見つけだすことができる。
【０１４３】
　この発明による表示制御装置およびプログラムを記録した記録媒体においては、表示手段の第２表示領域に表示された第２情報群を構成する情報に表示手段のカーソルが合わせられると当該情報が選択されたものとして第１表示領域に表示された情報のうちカーソルが合わせられた情報に対応する情報に選択マークを付して表示するとともに、第２情報群の中の別の情報にカーソルが合わせられるまでは以前に表示された選択マークの表示を維持するよう制御することを特徴とする。
【０１４４】
　したがって、情報を見ようとする者は、カーソルを合わせるという簡単な操作を行うだけで、カーソルが合わせられた情報に関連している情報を容易に見つけだすことができる。また、別の情報にカーソルが合わせられるまでは以前に表示された選択マークの表示が維持されるので、たとえば、長時間カーソルを操作しない場合であっても当該関連している情報をいつでも確認することができる。
【０１４５】
　この発明による表示制御装置およびプログラムを記録した記録媒体においては、記憶手段は、さらに、第２情報群を構成する複数項目の情報であって第１情報群を構成する複数項目の情報と所定の対応関係で対応付けられた情報を記憶している。また、第２情報群を構成する複数項目の情報を記憶手段から読み出して表示手段の第２表示領域に同時に表示するとともに、入力手段から入力された情報選択命令にしたがって第２情報群を構成する複数項目の情報から１項目の情報を選択し、選択された１項目の情報に基づいて第１情報群を構成する複数項目の情報から前記所定の対応関係で対応付けられた１項目以上の情報を選択し、選択された１項目以上の情報を表示手段の第１表示領域に表示するよう制御することを特徴とする。
【０１４６】
　つまり、第２表示領域には、第１情報群を構成する複数項目の情報と所定の対応関係で対応付けられた第２情報群の情報が表示される。したがって、情報を見ようとする者は、第２表示領域に表示された情報の中から１項目の情報を選んで情報選択命令を入力するだけで、第１情報群を構成する多数の情報の中から選択命令に関連している情報のみを容易に見ることができる。
【０１４７】
　この発明による表示制御装置およびプログラムを記録した記録媒体においては、記憶手段は、第１情報群を構成する情報と第２情報群を構成する情報との対応関係を記憶したテーブルを備えている。また、当該テーブルに基づいて、第２情報群の中の選択された１項目の情報に対応する第１情報群を構成する１項目以上の情報を選択することを特徴とする。
【０１４８】
　したがって、上記テーブルを用いることで、第１情報群を構成する情報と第２情報群を構成する情報との対応関係が複雑であっても、当該関係を容易に記述することができる。
【０１４９】
　この発明による表示制御装置およびプログラムを記録した記録媒体においては、記憶手段は、第１情報群を構成する各情報の前記第１表示領域における表示優先度を第２情報群を構成する各情報ごとに記憶したテーブルを備えている。また、当該テーブルに基づいて、第２情報群の中の選択された１項目の情報に対応する第１情報群を構成する１項目以上の情報の表示優先度を決定することを特徴とする。
【０１５０】
　したがって、上記テーブルを用いることで、第２情報群を構成する各情報ごとに、関連する第１情報群を構成する各情報の第１表示領域における表示優先度を、容易に記述することができる。このため、第２情報群のある情報に関連する第１情報群の複数の情報を、たとえば、第１表示領域の上から下へ或いは右から左へと、重要度の順に表示することが容易になる。
【０１５１】
　この発明による表示制御装置およびプログラムを記録した記録媒体においては、表示手段の第１表示領域に表示された第１情報群を構成する情報を選択すると当該選択された情報に関連する情報を表示するよう制御することを特徴とする。
【０１５２】
　したがって、たとえば、第１情報群を構成する情報を簡単な説明程度に抑えるとともに、これに関連する情報をより詳しい説明とすることで、限られた第１表示領域のスペースを有効に利用して情報を伝達することができる。すなわち、第１情報群を構成する情報を簡単な説明程度に抑えることで、第１表示領域に多項目の情報を表示することができる。この中からある情報が選択されると、今度は選択された情報に関するより詳しい説明のために第１表示領域の中からより大きいスペースをあてることができる。
【０１５３】
　この発明による表示制御装置およびプログラムを記録した記録媒体においては、記憶手段は、第１情報群を構成する情報または当該情報に関連する情報を複数の情報分野に区分し得る状態で記憶している。また、表示手段の第１表示領域を当該複数の情報分野に対応した複数の領域に分割するとともに、分割された各領域に、対応する情報分野の情報または当該情報に関連する情報をそれぞれ表示するよう制御することを特徴とする。
【０１５４】
　したがって、第１情報群を構成する情報または当該情報に関連する情報を複数の情報分野に区分し、当該区分にしたがって第１表示領域に分割して表示することで、情報分野ごとに情報を把握することができる。すなわち、選択命令に関連した所望の情報を、より容易に把握することができる。
【０１５５】
　この発明による表示制御装置およびプログラムを記録した記録媒体においては、分割された第１表示領域に選択可能な状態で情報を表示するとともに、第１表示領域に表示された情報が選択された場合は当該選択された情報を含む分割領域の表示面積が他の分割領域の表示面積に比し大きくなるよう制御することを特徴とする。
【０１５６】
　したがって、たとえば、第１情報群を構成する情報を簡単な説明程度に抑えることで、第１表示領域に多項目の情報を表示することができる。この中からある情報が選択されると、今度は選択された情報に関する情報分野のより詳しい説明のためにより大きいスペースを確保することができる。すなわち、限られた第１表示領域のスペースをさらに有効に利用して情報を伝達することができる。
【０１５７】
　この発明による表示制御装置およびプログラムを記録した記録媒体においては、入力手段および表示手段を備えた端末コンピュータと、記憶手段を備えプログラムに基づいて前記端末コンピュータの表示手段に情報を表示するよう制御するサーバコンピュータとを、通信網を介して接続し得るよう構成したことを特徴とする。
【０１５８】
　したがって、たとえば、通信網としてインターネットを用いた場合、所望の情報を容易に見ることができるウェブページを実現することができる。
【０１５９】
　上記においては、本発明を好ましい実施形態として説明したが、各用語は、限定のために用いたのではなく、説明のために用いたものであって、本発明の範囲および精神を逸脱することなく、添付のクレームの範囲において、変更することができるものである。
【図面の簡単な説明】
【０１６０】
【図１】この発明の一実施形態による表示制御システム２の構成を説明するためのブロック図である
【図２】図１に示す表示制御システム２に用いられるサーバコンピュータ４，パーソナルコンピュータ６のハードウェア構成の一例を示す図面である。
【図３】本表示制御システム２において、パーソナルコンピュータ６のＣＲＴ６４の第１表示領域２４に選択マーク表示する処理（選択マーク表示処理）の流れの一例を示すフローチャートである。
【図４】本表示制御システム２において、パーソナルコンピュータ６のＣＲＴ６４の第１表示領域２４にデータを編集して表示する処理（自動編集処理）の流れの一例を示すフローチャートである。
【図５】データファイル１４のデータ構造の一例を示す図面である。
【図６】テーマファイル１６のデータ構造の一例を示す図面である。
【図７】関連付けテーブル１８のデータ構造の一例を示す図面である。
【図８】選択マーク表示処理におけるパーソナルコンピュータ６のＣＲＴ６４の表示画面の一例を示す図面である。
【図９】選択マーク表示処理におけるパーソナルコンピュータ６のＣＲＴ６４の表示画面の一例を示す図面である。
【図１０】選択マーク表示処理におけるパーソナルコンピュータ６のＣＲＴ６４の表示画面の一例を示す図面である。
【図１１】自動編集処理におけるパーソナルコンピュータ６のＣＲＴ６４の表示画面の一例を示す図面である。
【図１２】自動編集処理におけるパーソナルコンピュータ６のＣＲＴ６４の表示画面の一例を示す図面である。
【図１３】自動編集処理におけるパーソナルコンピュータ６のＣＲＴ６４の表示画面の一例を示す図面である。
【図１４】従来のウェブページの一部分を示す図面である。
【符号の説明】
【０１６１】
４：サーバコンピュータ
６：パーソナルコンピュータ
１０：表示制御手段
２２：表示手段
１８：関連付けテーブル
２４：第１表示領域
２６：第２表示領域
　　特許出願人　株式会社クインランド
　　出願人代理人　弁理士　田川　幸一
【図１】
2004110851.tif 000003
【図２】
2004110851.tif 000004
【図３】
2004110851.tif 000005
【図４】
2004110851.tif 000006
【図５】
2004110851.tif 000007
【図６】
2004110851.tif 000008
【図７】
2004110851.tif 000009
【図８】
2004110851.tif 000010
【図９】
2004110851.tif 000011
【図１０】
2004110851.tif 000012
【図１１】
2004110851.tif 000013
【図１２】
2004110851.tif 000014
【図１３】
2004110851.tif 000015
【図１４】
2004110851.tif 000016